(57)【要約】      （修正有）【課題】複数の異形状の操作工具に安価に対応できるマンホール蓋用ロック装置を提供する。【解決手段】ロック装置１は、垂直軸孔２１を有し蓋体に固着される固定外筒２と、垂直軸孔２１に回転可能に嵌め込まれる主軸３と、主軸３の回転に連動してマンホール枠体側の受部と係脱するラッチ４と、着脱自在の交換軸部材とを具備する。主軸３は、交換軸部材を係脱させる角穴３１付きの頭部３２を上端に有する。交換軸部材は、主軸３の角穴３１に係合する角軸部を下部に有すると共に、主軸３の角穴３１とは形状の異なる異形角穴を上部に有する。形状の異なる複数の交換軸部材を製作すれば、交換軸部材を交換することにより、複数の形状の異なる操作工具で主軸３を回転操作可能である。【選択図】図１
2020197074.tif 000002
【特許請求の範囲】
【請求項１】
マンホールの枠体に嵌め込まれる蓋体をロックするために当該蓋体に取り付けられるロック装置であって、
垂直軸孔を上下方向に配置して前記蓋体に固着される固定外筒と、前記固定外筒の垂直軸孔に回転可能に嵌め込まれる主軸と、前記主軸の回転に連動して前記枠体側の受部と係脱するラッチ部材と、前記固定外筒の垂直軸孔に回転可能かつ前記主軸に係合離脱自在に嵌め込まれる交換軸部材とを具備し、
前記主軸は、角穴付きの頭部を上端に有し、
前記交換軸部材は、前記主軸の角穴に係合、離脱可能な角軸部を下部に有すると共に、マンホール管理者が持つ操作工具を係合させるための、前記主軸の角穴とは形状の異なる異形角穴を上部に有する複数種のものからなり、
前記複数種の交換軸部材は、それぞれ形状の異なる異形角穴を上部に有し、
前記交換軸部材を変えることにより、複数の形状の異なる別の操作工具に対応可能に構成されることを特徴とするマンホール蓋用ロック装置。
【発明の詳細な説明】
【技術分野】
【０００１】
本発明は、通信ケ- ブルや送電ケ- ブル、上下水道管等が敷設された地下共同溝等の出入り口であるマンホールに装備される蓋のロック装置に関する。
【背景技術】
【０００２】
従来、マンホールの枠体に嵌め込まれる蓋体をロックするために当該蓋体に取り付けられるロック装置として、特許文献１に記載されるものが知られている。
この装置は、垂直軸孔を上下方向に配置して前記蓋体に固着される固定外筒と、この固定外筒の垂直軸孔に回転可能に嵌め込まれる主軸と、この主軸の回転に連動して枠体側の受部と係脱するラッチ部材とを具備し、主軸が、マンホール管理者が持つ固有の操作工具を係合させるための角穴付きの頭部を上端に有するものであり、マンホール管理者が持つ固有の操作工具によらなければ容易にマンホール蓋のロックを解除することができないようになっている。なお、特許文献１に記載のマンホール蓋用ロック装置においては、さらにマンホールのセキュリティを向上させるため、主軸の上部に錠ユニットが付設され、かつ錠ユニットの挿入の可否によってロック状態と非ロック状態を明確に判別することができる構造になっている。
【先行技術文献】
【特許文献】
【０００３】
【特許文献１】特開２００７-３２２３０号公報
【発明の概要】
【発明が解決しようとする課題】
【０００４】
マンホールは、異なる地下設備毎に管理者が異なり、管理者毎に異なる固有の形状の操作工具が用いられている。上記従来のマンホール蓋用ロック装置は、異なる複数のマンホール管理者の固有の操作工具に対応するために、主軸頭部の角穴をマンホール管理者毎に変更して製作する必要があり、これが製作コストを引き上げる一因となっている。
したがって、本発明は、主軸頭部の角穴をマンホール管理者毎に変更して製作することなく、異なる複数のマンホール管理者の固有の操作工具に安価に対応できるマンホール蓋用ロック装置を提供することを目的としている。
【課題を解決するための手段】
【０００５】
以下、添付図面の符号を参照して説明するが、本発明はこれに限定されるものではない。
上記課題を解決するための、本発明のマンホール蓋Ｌのロック装置１は、垂直軸孔２１を上下方向に配置して蓋体Ｌに固着される固定外筒２と、固定外筒２の垂直軸孔２１に回転可能に嵌め込まれる主軸３と、主軸３の回転に連動してマンホール枠体Ｆ側の受部Ｆａと係脱するラッチ部材４と、固定外筒２の垂直軸孔２１に回転可能かつ主軸３に係合離脱自在に嵌め込まれる交換軸部材７とを具備する。主軸３は、角穴３１付きの頭部３２を上端に有する。交換軸部材７は、主軸３の角穴３１に係合、離脱可能な角軸部７１を下部に有すると共に、マンホール管理者が持つ操作工具を係合させるための、主軸の角穴３１とは形状の異なる異形角穴７２を上部に有する複数種のものからなる。複数種の交換軸部材７は、それぞれ形状の異なる異形角穴７２を上部に有する。交換軸部材７を変えることにより、複数の形状の異なる別の操作工具に対応可能に構成される。
【発明の効果】
【０００６】
本発明のマンホール蓋用ロック装置１は、主軸頭部３２の角穴３１を異なる操作工具毎に変更して製作することなく、異なる異形角穴７２を上部に有する複数種の交換軸部材７を交換して装着するだけで、複数種の操作工具に安価に対応できるという効果を有する。
【図面の簡単な説明】
【０００７】
【図１】本発明に係るマンホール蓋用ロック装置の交換軸部材を外したロック状態の平面図である。
【図２】図１のＩＩ−ＩＩ断面図である。
【図３】図１のＩＩＩ−ＩＩＩ断面図である。
【図４】図１のマンホール蓋用ロック装置の交換軸部材を装着したロック状態の平面図である。
【図５】図４のＶ−Ｖ断面図である。
【図６】図４のマンホール蓋用ロック装置の交換軸部材を示し、（Ａ）は平面図、（Ｂ）は一部を切欠した正面図、（Ｃ）は側面図である。
【図７】図１のマンホール蓋用ロック装置の他の交換軸部材を装着したロック状態の平面図である。
【図８】図７のＶＩＩＩ−ＶＩＩＩ断面図である。
【図９】図７のマンホール蓋用ロック装置の交換軸部材を示し、（Ａ）は平面図、（Ｂ）は一部を切欠した正面図である。
【発明を実施するための形態】
【０００８】
図面を参照して本発明の実施の形態を説明する。
図１ないし図３において、マンホール蓋Ｌに装着されるロック装置１は、垂直軸孔２１を上下方向に配置して固定板部２２を介して蓋体Ｌに固着される固定外筒２と、固定外筒２の垂直軸孔２１に回転可能に嵌め込まれる主軸３と、主軸３の回転に連動して枠体Ｆ側の受部Ｆａと係脱するラッチ部材４とを具備する。主軸３は、六角穴３１付きの頭部３２を上端に具備する。
【０００９】
垂直軸孔２１の内周には、上下方向の溝２３が形成され、これに昇降自在に識別ピン５が挿入される。図３に示すように、識別ピン５は、ばね６で下方位置に付勢され、ラッチ部材４がロック位置にあるとき下方位置にあるが、ラッチ部材４が非ロック位置まで９０°回転されると、斜面４１により上方位置へ押し上げられる。
【００１０】
垂直軸孔２１には、主軸３の上部に位置して、交換軸部材７、シリンダ錠ユニット８、キャップ９が順次が嵌め込まれる。図示した実施形態では、固定外筒２は、上端開口部の内周にねじ部２５ を有し、これにキャップ９を螺合させることによって閉塞される。シリンダ錠ユニット８はキャップ９の下側において固定外筒２に挿入される。
【００１１】
シリンダ錠ユニット８は、外周に突出する回り止めピン８１を溝２３に係合させて垂直軸孔２１に嵌め込まれ、適正高さ位置に嵌め込まれると、図示しないキーの操作により錠止板８２を突出させて垂直軸孔２１の係合部２４に係合させることによって垂直軸孔２１内に錠止される。
【００１２】
回り止めピン８１は、識別ピン５の上端に乗るので、ラッチ部材４が非ロック位置にあって、識別ピン５が上方位置にあると、シリンダ錠ユニット８は、適正高さ位置に嵌め込むことができず、キーによる錠止操作ができないし、垂直軸孔２１にキャップ９を装着することもできない。このことにより、管理者は、蓋Ｌがロックされていないことを容易に認識することができ、ロック忘れが防止される。
【００１３】
交換軸部材７について説明する。交換軸部材７は、主軸３の六角穴３１に係合する六角軸部７１を下部に有すると共に、主軸３の六角穴３１とは形状の異なる半月型（図６）や四角孔（図９）等の異形角穴７２を上部に有し、角軸部７１を六角穴３１に係合、離脱させるように垂直軸孔２１に回転可能かつ着脱可能に嵌め込まれる。
【００１４】
したがって、図１ないし図３に示すように、交換軸部材７を装着していない状態のロック装置１は、主軸３の六角穴３１に適合する六角軸部を有する操作工具でロック、非ロックの操作を行うことができる。また、これに交換軸部材７を装着することにより、異形角穴７２に適合する異形角軸部を有する他のマンホール管理者が持つ異形操作工具で主軸３を回転操作することができる。
【００１５】
交換軸部材７は、図４ないし図６に示すものや、図７ないし図９に示すもののように、異形角穴７２の形状の異なるものが複数製作される。
【００１６】
図４ないし図６に示す実施例の交換軸部材７は、その異形角穴７２が、半円形である。
【００１７】
図７ないし図９に示す実施例の交換軸部材７’は、その角軸部７１’が交換軸部材７の角軸部７１と共通の六角であるが、その異形角穴７２’が、四角穴である。
【００１８】
以上の実施形態においては、例えば、マンホール管理者、二者が、それぞれが管理するマンホール蓋の開閉を操作するための、互いに形状の異なる係合部を持つ操作工具をそれぞれ用いている場合、メーカーがこれらのマンホール管理者にロック装置１を提供するに際し、主軸３を共通にし、一方のマンホール管理者に対しては、それが用いる操作工具の係合部に対応する交換軸部材７を付加して提供し、他方のマンホール管理者に対しては、それが用いる操作工具の係合部に対応する他の交換軸部材７’を付加して提供することができる。
【００１９】
すなわち、複数の異なるマンホール管理者に対し、主軸３の頭部の角穴３１を各マンホール管理者に固有の形状に変更して製作することなく、それぞれのマンホール管理者が用いる操作工具に対応した異形状の交換軸部材７，７’を製作して付加するだけで、複数のマンホール管理者の固有の操作工具に対応したロック装置を安価に提供できるという効果を有する。
【符号の説明】
【００２０】
１      ロック装置
２      固定外筒
２１    垂直軸孔
２２    固定板部
２３    溝
２４    係合部
２５    ねじ部
３      主軸
３１    角穴（六角穴）
３２    頭部
４      ラッチ
４１    斜面
５      識別ピン
６      ばね
７      交換軸部材
７１    角軸部（六角軸部）
７２    異形角穴（半円角穴）
７’    交換軸部材
７１’  角軸部（六角軸部）
７２’  異形角穴（四角穴）
８      シリンダ錠ユニット
８１    回り止めピン
８２    錠止板
９      キャップ
Ｆ      マンホール枠体
Ｆａ    受け部
Ｌ      マンホール蓋
【図１】
2020197074.tif 000003
【図２】
2020197074.tif 000004
【図３】
2020197074.tif 000005
【図４】
2020197074.tif 000006
【図５】
2020197074.tif 000007
【図６】
2020197074.tif 000008
【図７】
2020197074.tif 000009
【図８】
2020197074.tif 000010
【図９】
2020197074.tif 000011